【手続補正書】
【提出日】平成27年6月26日(2015.6.26)
【手続補正１】
【補正対象書類名】明細書
【補正対象項目名】００１０
【補正方法】変更
【補正の内容】
【００１０】
本発明の目的を達成するために、例えば、本発明の画像処理装置は、画像データを入力する入力手段と、
前記入力手段により入力された第１フレームの画像データと該第１フレームに続く第２フレームの画像データとを第１合成比率に基づいて合成して合成画像を生成する合成手段と、
前記合成画像から、高周波成分が低減された低周波画像を生成する生成手段と、
前記低周波画像に基づく第１サブフレームを含む複数のサブフレームを前記入力手段による画像データの入力におけるフレームレートよりも高いフレームレートで表示させる表示制御手段と
を有することを特徴とする。
【手続補正２】
【補正対象書類名】明細書
【補正対象項目名】００３７
【補正方法】変更
【補正の内容】
【００３７】
ＨＰＦ（Ｂ［ｉ］）＝２×Ｂ［ｉ］−ＬＰＦ（Ｂ［ｉ］）  …  式４
係る式は、画像Ｂ［ｉ］を構成する各画素の画素値を２倍したものから、画像Ｂ［ｉ］に対してローパスフィルタ処理を行った画像を構成する各画素の画素値を差し引いた値を画素値とする画像を、高周波数成分強調画像として生成することを意味している。そして高周波画像生成部１０３は、生成した高周波数成分強調画像ＨＰＦ（Ｂ［ｉ］）を、第３の画像合成部３０３及び第４の画像合成部３０４に対して送出する。一方、低周波画像生成部１０４は、生成した低周波数成分画像ＬＰＦ（Ａ［ｉ］）を、第３の画像合成部３０３及び第４の画像合成部３０４に対して送出する。
【手続補正３】
【補正対象書類名】特許請求の範囲
【補正対象項目名】全文
【補正方法】変更
【補正の内容】
【特許請求の範囲】
【請求項１】
画像データを入力する入力手段と、
前記入力手段により入力された第１フレームの画像データと該第１フレームに続く第２フレームの画像データとを第１合成比率に基づいて合成して合成画像を生成する合成手段と、
前記合成画像から、高周波成分が低減された低周波画像を生成する生成手段と、
前記低周波画像に基づく第１サブフレームを含む複数のサブフレームを前記入力手段による画像データの入力におけるフレームレートよりも高いフレームレートで表示させる表示制御手段と
を有することを特徴とする画像処理装置。
【請求項２】
前記合成手段は、さらに、前記第１フレームの画像データと前記第２フレームの画像データとを第２合成比率に基づいて合成して第２合成画像を生成し、
前記生成手段は、さらに、前記第２合成画像から、高周波成分が強調された高周波強調画像を生成し、
前記表示制御手段は、前記低周波画像と前記高周波強調画像とに基づく前記複数のサブフレームを、前記入力手段による画像データの入力におけるフレームレートよりも高いフレームレートで表示させることを特徴とする請求項１に記載の画像処理装置。
【請求項３】
前記生成手段は、前記高周波強調画像と前記低周波画像とを第３合成比率に基づいて合成して前記第１サブフレームを生成すると共に、前記高周波強調画像と前記低周波画像とを第４合成比率に基づいて合成して第２サブフレームを生成し、
前記表示制御手段は、前記生成手段により生成された前記第１及び第２サブフレームを前記複数のサブフレームとして表示させることを特徴とする請求項２に記載の画像処理装置。
【請求項４】
前記合成手段は、前記入力手段により入力された規定数のフレームのうち最初に入力したフレーム及び最後に入力したフレームである端部フレームと、該端部フレームと隣接したタイミングで前記入力手段により入力された隣接フレームと、が同じ比率で合成されるように前記第１合成比率を制御し、前記最初に入力したフレームから該規定数よりも小さいフレーム数分後の後続フレームまでは、前記最初に入力したフレームから該後続フレームに近づくにつれてより最近に入力したフレームの比率が高い合成画像が生成されるように前記第１合成比率を制御し、該後続フレームから前記最後に入力したフレームまでは、前記後続フレームから該最後に入力したフレームに近づくにつれてより最近に入力したフレームの比率が低い合成画像が生成されるように前記第１合成比率を制御することを特徴とする請求項１乃至３の何れか１項に記載の画像処理装置。
【請求項５】
前記合成手段は、前記入力手段により入力された規定数のフレームのうち最初に入力したフレームから該規定数よりも小さいフレーム数分後の後続フレームまでは、前記最初に入力したフレームから該後続フレームに近づくにつれてより最近に入力したフレームの比率が高い合成画像が生成されるように前記第２合成比率を制御し、該後続フレームから、該規定数のフレームのうち最後に入力したフレームまでは、前記後続フレームから該最後に入力したフレームに近づくにつれてより最近に入力したフレームの比率が低い合成画像が生成されるように前記第２合成比率を制御することを特徴とする請求項２又は３に記載の画像処理装置。
【請求項６】
前記表示制御手段は、前記入力手段により入力された１フレーム分の画像データに対して２フレーム分のサブフレームを表示させ、
前記生成手段は、
前記入力手段により入力された規定数のフレームのうち最初に入力したフレームに対応する前記第１サブフレームと前記第２サブフレームとを順次表示させる場合において、前記第１サブフレームは、前記高周波強調画像よりも前記低周波画像の比率が高くなるように合成された画像となるように前記第３合成比率を制御すると共に、前記第２サブフレームは、前記低周波画像よりも前記高周波強調画像の比率が高くなるように合成された画像となるように前記第４合成比率を制御し、
前記入力手段により入力された前記規定数のフレームのうち最後に入力したフレームに対応する前記第１サブフレームと前記第２サブフレームとを順次表示させる場合において、前記第１サブフレームは、前記低周波画像よりも前記高周波強調画像の比率が高くなるように合成された画像となるように前記第３合成比率を制御すると共に、前記第２サブフレームは、前記高周波強調画像よりも前記低周波画像の比率が高くなるように合成された画像となるように前記第４合成比率を制御することを特徴とする請求項３に記載の画像処理装置。
【請求項７】
前記生成手段は、前記最初に入力したフレームと前記最後に入力したフレームとの中間に位置する中間フレームに対応する前記第３及び第４合成比率のそれぞれを、前記最初に入力したフレームに対応する前記第３及び第４合成比率と、前記最後に入力したフレームに対応する前記第３及び第４合成比率と、の中間の値となるように制御することを特徴とする請求項６に記載の画像処理装置。
【請求項８】
画像データを入力する入力工程と、
前記入力工程で入力された第１フレームの画像データと該第１フレームに続く第２フレームの画像データとを第１合成比率に基づいて合成して合成画像を生成する合成工程と、
前記合成画像から、高周波成分が低減された低周波画像を生成する生成工程と、
前記低周波画像に基づく第１サブフレームを含む複数のサブフレームを前記入力工程での画像データの入力におけるフレームレートよりも高いフレームレートで表示させる表示制御工程と
を有することを特徴とする画像処理方法。
【請求項９】
前記合成工程では、さらに、前記第１フレームの画像データと前記第２フレームの画像データとを第２合成比率に基づいて合成して第２合成画像を生成し、
前記生成工程では、さらに、前記第２合成画像から、高周波成分が強調された高周波強調画像を生成し、
前記表示制御工程では、前記低周波画像と前記高周波強調画像とに基づく前記複数のサブフレームを、前記入力工程での画像データの入力におけるフレームレートよりも高いフレームレートで表示させることを特徴とする請求項８に記載の画像処理方法。
【請求項１０】
前記生成工程では、前記高周波強調画像と前記低周波画像とを第３合成比率に基づいて合成して前記第１サブフレームを生成すると共に、前記高周波強調画像と前記低周波画像とを第４合成比率に基づいて合成して第２サブフレームを生成し、
前記表示制御工程では、前記生成工程で生成された前記第１及び第２サブフレームを前記複数のサブフレームとして表示させることを特徴とする請求項９に記載の画像処理方法。
【請求項１１】
コンピュータを請求項１乃至７の何れか１項に記載の画像処理装置の各手段として機能させるためのコンピュータプログラム。
【手続補正４】
【補正対象書類名】図面
【補正対象項目名】図４
【補正方法】変更
【補正の内容】
【図４】
2014011501.tif 000001